(57)【特許請求の範囲】
【請求項１】
本体ケース（１）に整形ヘッド（２）を有する加熱式の毛髪整形具であって、
整形ヘッド（２）に、ヒーター（８）を有する整形部（１１・１２）と、ヒーター（８）の温度上昇により変色する温度表示体（３８）とが設けられており、
ヒーター（８）を温度表示体（３８）に熱伝導体（５１）を介して当接させており、
温度表示体（３８）がシート状に形成されており、
熱伝導体（５１）がシート状に形成されており、
熱伝導体（５１）の一方の面に温度表示体（３８）が当接しており、
熱伝導体（５１）の他方の面にヒーター（８）の一部が部分当接しており、
温度表示体（３８）の、上記部分当接した位置に対応する表面が、整形ヘッド（２）の周囲壁の一部で覆われていることを特徴とする毛髪整形具。
【請求項２】
シート状の熱伝導体（５１）の外郭線内にシート状の温度表示体（３８）が密着状態で当接していることを特徴とする請求項１に記載の毛髪整形具。
【請求項３】
整形ヘッド（２）の周面一側に、側部側整形部（１１）が設けられており、
整形ヘッド（２）の周面他側に、温度表示体（３８）が設けられており、
ヒーター（８）が、側部側整形部（１１）に沿って設けられており、
ヒーター（８）は中途で曲げられて、側部側整形部（１１）に沿う方向の形態と交差する方向の形態を含み、
温度表示体（３８）を熱伝導体（５１）の一方の面に当接させており、
交差する方向の形態におけるヒーター（８）の周面他側に近い一部を熱伝導体（５１）の他方の面に当接したことを特徴とする請求項１または２に記載の毛髪整形具。
【請求項４】
整形ヘッド（２）の突端に端部側整形部（１２）が設けられており、
交差する方向のヒーター（８）が、端部側整形部（１２）に沿って設けられていることを特徴とする請求項３に記載の毛髪整形具。
【発明の詳細な説明】
【技術分野】
【０００１】
本発明は、頭髪やまつ毛などの毛髪のくせ付けを施すことができる加熱式の毛髪整形具に関する。
【背景技術】
【０００２】
この種の整形具として、棒状の握り部の一端に、握り部よりも細い加熱部を設けてなる加熱式のまつ毛カーラーが公知である（特許文献１）。そこでは、ヒーターの一部が、加熱部に設けられたヒーター表出面から外部に露出しており、ヒーター表出面でまつ毛を加熱しながらカール可能となっている。また、ヒーター表出面の反対側のケースには貫通孔が形成されており、この貫通孔にサーモラベルを配接して、ヒーターの温度を正確に表示できるようになっている。
【先行技術文献】
【特許文献】
【０００３】
【特許文献１】特開２００１−１２０３３３号公報（段落００２５、図１０、図１１）
【発明の概要】
【発明が解決しようとする課題】
【０００４】
しかし、ヒーターの熱は空気層を介してサーモラベルに供給される構造であるため、サーモラベルを変色させるのに時間を要することになり、ヒーター表出面がカール可能な温度であるにもかかわらず変色が間に合わないという虞れがある。変色が遅れるとその分だけヒーターの駆動時間が長くなることから電力が無駄にロスする結果となる。電池式ヒーター駆動の場合は電池寿命が短くなり使用回数が減少することになる。
【０００５】
特許文献１のまつ毛整形具のように、貫通孔を介してヒーターの熱をサーモラベルに供給するものにあっては、マスカラ液などの異物が貫通孔を塞ぐ虞れがあり、塞がれてしまえばヒーターの熱が供給できなくなり変色が遅れる。場合によっては変色しない虞れもある。
【０００６】
本発明の目的は、毛髪を整形する加熱式の整形具において、その整形部が適温状態となる時間と温度表示体の変色時間とに時間差が生じないよう構成した加熱式の整形具を提供することにある。
【課題を解決するための手段】
【０００７】
本体ケース１に整形ヘッド２を有する加熱式の毛髪整形具であって、整形ヘッド２に、ヒーター８を有する整形部１１・１２と、ヒーター８の温度上昇により変色する温度表示体３８とが設けられており、ヒーター８を温度表示体３８に熱伝導体５１を介して当接させることを特徴とする。
【０００８】
温度表示体３８がシート状に形成されており、熱伝導体５１がシート状に形成されており、熱伝導体５１の一方の面に温度表示体３８が当接しており、熱伝導体５１の他方の面にヒーター８が部分当接している。温度表示体３８の、上記部分当接した位置に対応する一方の面が、整形ヘッド２の周囲壁の一部で覆われていることを特徴とする。
【０００９】
シート状の熱伝導体５１の外郭線内にシート状の温度表示体３８が密着状態で当接していることを特徴とする。
【００１０】
整形ヘッド２の周面一側に、側部側整形部１１が設けられており、整形ヘッド２の周面他側に、温度表示体３８が設けられており、ヒーター８が、側部側整形部１１に沿って設けられており、ヒーター８は中途で曲げられて、側部側整形部１１に沿う方向の形態と交差する方向の形態を含み、温度表示体３８を熱伝導体５１の一方の面に当接させており、交差する方向の形態におけるヒーター８の周面他側に近い一部を熱伝導体５１の他方の面に当接したことを特徴とする。
【００１１】
整形ヘッド２の突端に端部側整形部１２が設けられており、交差する方向のヒーター８が、端部側整形部１２に沿って設けられていることを特徴とする。
【発明の効果】
【００１２】
本発明においては、整形ヘッド２に、ヒーター８を有する整形部１１・１２と、ヒーター８の温度上昇により変色する温度表示体３８とが設けられており、ヒーター８と温度表示体３８の両者を直接当接させる、あるいは両者を熱伝導体５１を介して当接させることにより、温度表示体３８の変色状態を見て、ヒーター８を含む整形部１１・１２が適温状態になっているか否かを確認できるとともに、整形部１１・１２が適温状態となる時間と温度表示体３８の変色時間とに大きな時間差が生じるのを防止できる。
【００１３】
また、温度表示体３８および熱伝導体５１がシート状に形成されており、熱伝導体５１の一方の面に温度表示体３８が当接しており、熱伝導体５１の他方の面にヒーター８が当接していることにより、シート状の熱伝導体５１の裏側の面にヒーター８が直接当接することになり、熱伝導体５１の外郭線内から全体に速やかに伝導熱が広がって、それに当接している表側の温度表示体３８にも熱が伝わり、温度表示体３８を速やかに変色できる。
【００１４】
また、シート状の熱伝導体５１の外郭線内にシート状の温度表示体３８が密着状態で当接していることにより、温度表示体３８の全体を速やかに変色できる。
【００１５】
また、整形ヘッド２の周面一側に、側部側整形部１１が設けられており、整形ヘッド２の周面他側に、温度表示体３８が設けられており、ヒーター８が、側部側整形部１１に沿って設けられており、ヒーター８は中途で曲げられて、側部側整形部１１に沿う方向の形態と交差する方向の形態を含み、温度表示体３８を熱伝導体５１の一方の面に当接させており、交差する方向の形態におけるヒーター８の周面他側に近い一部を熱伝導体５１の他方の面に当接したことにより、温度表示体３８を、周面他側から見て、奥まった位置に設けなくて済むため、温度表示体３８の視認性が悪化するのを防止できる。
【００１６】
また、整形ヘッド２の突端に端部側整形部１２が設けられており、交差する方向のヒーター８が、端部側整形部１２に沿って設けられていることにより、整形ヘッド２の端部側においても加熱しながらの整形を行うことができる。
【図面の簡単な説明】
【００１７】
【図１】本発明に係るまつ毛整形具の整形ヘッドの縦断正面図である。
【図２】本発明に係るまつ毛整形具の正面図である。
【図３】図１におけるＡ−Ａ線断面図である。
【図４】本発明に係るまつ毛整形具の整形ヘッドの斜視図である。
【図５】本発明に係る整形ヘッドの各部の寸法関係を示す正面図である。
【図６】本発明に係る整形ヘッドの各部の寸法関係を示す側面図である。
【図７】本発明に係る整形ヘッドによるカール作業例を示す説明図である。
【図８】本発明に係る整形ヘッドによるダマ除去作業例を示す説明図である。
【図９】整形ヘッド要部の正面図である。
【図１０】整形ヘッド要部の正面図である。
【図１１】本発明の別の実施例に係る整形ヘッドの縦断正面図である。
【図１２】本発明の別の実施例に係る整形ヘッドの縦断正面図である。
【図１３】本発明の別の実施例に係る整形ヘッドの縦断正面図である。
【図１４】本発明の別の実施例に係る整形ヘッドの縦断正面図である。
【図１５】本発明の別の実施例に係る整形ヘッドの縦断正面図である。
【図１６】本発明の別の実施例に係る説明図である。
【発明を実施するための形態】
【００１８】
（実施例１）  図１ないし図８は本発明に係る毛髪整形具をまつ毛整形具に適用した実施例を示す。なお、この実施例における前後、左右、上下とは、図２および図３に示す交差矢印と、各矢印の近傍に表記した前後、左右、上下の表示に従う。図２においてまつ毛整形具は、グリップを兼ねる中空筒状のプラスチック製の本体ケース１と、本体ケース１の上端に設けられる整形ヘッド２を備えている。本体ケース１の下端にはキャップ３がねじ込み装着してあり、キャップ３を本体ケース１から取り外した状態において、電池４をケース内部に出し入れできる。本体ケース１の前面には、電池４と後述するヒーター８との間の通電状態をオン・オフするスイッチノブ５が設けてある。
【００１９】
整形ヘッド２は、左右に分割した状態で形成されるプラスチック製のヘッドベース６と同じくプラスチック製の櫛枠７とで逆Ｌ字状に構成してあり、ヘッドベース６と同ベース６に外嵌装着される櫛枠７との間にヒーター８が逆Ｌ字状に挟み保持してある。図３に示すように整形ヘッド２は断面がＤ字状に形成してあり、その右周側に側部側整形部１１を設け、上端に端部側整形部１２を設けている。整形ヘッド２の軸線と側部側整形部１１の軸線は一致する方向である。
【００２０】
両整形部１１・１２のうち、側部側整形部１１は、主にまつ毛列の湾曲中央部分に沿って生えている長いまつ毛をカールするために設けてある。また、端部側整形部１２は、主に目頭側や目尻側に生えている短いまつ毛、あるいは下まつ毛をカールするために設ける。ヒーター８は中途で曲げられた折り曲げ部を有しており、側部側整形部１１に沿う方向の形態と交差する方向の形態を含んでいる。交差する方向のヒーター８が、端部側整形部１２に沿って設けられている。つまり、ヒーター８は、側部側整形部１１に臨み、かつ側部側整形部１１の軸線に沿って配置される第１ヒーター８Ａと、端部側整形部１２に臨み、かつ端部側整形部１２の軸線に沿って配置される第２ヒーター８Ｂとからなる。前後一対ずつ配置される両ヒーター８Ａ・８Ｂは、端部側整形部１２でＵ字状に折り返えされる折り返し部を有している。ヒーター８は、前後２つの折り曲げ部と１つの折り返し部を含む１本のヒーター線で構成してある。
【００２１】
ヒーター８は、図面上では、丸棒状のヒーター線となっているが、実際は、図面上と同じ経路を辿る丸棒状の１本の銅線と、銅線全体を被覆する１つのプラスチック製の絶縁被覆筒体と、絶縁被覆筒体の表面にスパイラル状に巻き付けて成る１本のニクロム線材とから構成される。もちろんヒーター８は、図面どおりの丸棒状のヒーター線であってもよい。
【００２２】
側部側整形部１１には、主に長いまつ毛をカールするための側部カール面１３と、カール時に主に長いまつ毛を梳くための側部コーム１４が設けてある。また、側部側整形部１１と対向する整形ヘッド２の左周側には、整形ヘッド２の左右中央へ向かって凹む段落ち面１５を設けて、この段落ち面１５に、長いまつ毛に付着したマスカラのダマを梳き取る側部マスカラコーム１６が設けてある（図６参照）。図４に示すように、ヘッドベース６は、縦長の縦櫛ベース１７と、縦櫛ベース１７の上端から左向きに突設される横櫛ベース１８とで逆Ｌ字状に構成してある。縦櫛ベース１７の左側面が先の段落ち面１５になっており、その前後幅方向の中央部分に側部マスカラコーム１６を構成する櫛歯１９が上下方向へ直線列状に形成してある（図２参照）。なお、段落ち面１５や側部マスカラコーム１６は、側部側整形部１１と対向する周面に限らず、側部側整形部１１と直交する周面（前側周面、後側周面）に設けることもできる。従って、請求項における「整形ヘッド２の周面他側」とは、側部側整形部１１と対向する周面に限らず、側部側整形部１１と直交する周面（前側周面、後側周面）を含むものである。
【００２３】
横櫛ベース１８の上面側に設けられる端部側整形部１２には、主に短いまつ毛をカールするための端部カール面２１と、カール時に主に短いまつ毛を梳くための端部コーム２２が設けてある。また、横櫛ベース１８の左側の平坦な周側面１８ａの上縁から上方へ向かって、主に短いまつ毛に付着したマスカラのダマを梳き取る端部マスカラコーム２３が設けてある。図４に示すように櫛枠７は、縦櫛枠２６と、縦櫛枠２６の上端から左向きに突設される横櫛枠２７と、縦櫛枠２６に設けた側部コーム１４と、横櫛枠２７に設けた端部コーム２２を一体に備えている。縦櫛枠２６と横櫛枠２７の前後中央に設けた装填溝２８に先のヒーター８が装填してある。縦櫛枠２６の外側面が先の側部カール面１３になっており、横櫛枠２７の上端面が先の端部カール面２１になっている。
【００２４】
側部コーム１４は、上下多段状に配置されて縦櫛枠２６の前後壁を橋絡する部分円弧状の櫛歯３０で構成してあり、各櫛歯３０の内面には、縦櫛枠２６の前後壁と協同してヒーター８を受止める受壁３１が突設してある（図３参照）。同様に、端部コーム２２は横櫛枠２７の前後壁を橋絡する２個の部分円弧状の櫛歯３２で構成してあり、各櫛歯３２の内面には、横櫛枠２７の前後壁と協同してヒーター８を受止める受壁３３が突設してある（図６参照）。櫛枠７は、ヘッドベース６に接着固定してある。端部コーム２２の端部カール面２１からの突出寸法Ｈ４は、側部コーム１４の側部カール面１３からの突出寸法Ｈ２に比べて小さく設定してある。
【００２５】
図６に示すように、端部マスカラコーム２３は、横櫛ベース１８の周側面１８ａに沿って上向きに突設した５個の櫛歯３４で構成してある。このように、端部マスカラコーム２３の櫛歯３４の配列方向と、端部コーム２２の櫛歯３２の配列方向とを異ならせることにより、端部マスカラコーム２３の梳き流し方向と、端部コーム２２の梳き流し方向とを互いに直交させることができる。また、端部マスカラコーム２３の櫛歯列は、端部コーム２２と平行に設けてあるので、端部マスカラコーム２３が端部コーム２２を兼ねて、これら両者２２・２３が共同してまつ毛を梳き流すことができる。
【００２６】
端部マスカラコーム２３の基端部分、より詳しくは端部側整形部１２の側部側整形部１１とは反対側の周側面１８ａには温度表示体３８が設けてある。温度表示体３８は可逆性の感温変色体（サーモラベル）からなり、設定温度（例えば５０℃）に達すると、それまで紫色だったラベルの色がピンク色に変化して、側部側整形部１１（第１ヒーター８Ａ）および端部側整形部１２（第２ヒーター８Ｂ）が使用に適した温度状態になっていることを表示する。
【００２７】
従来は、ヒーターの熱は空気層を介してサーモラベルに供給される構造であるため、感温変色体（サーモラベル）を変色させるのに時間を要することになり、ヒーター表出面がカール可能な温度であるにもかかわらず変色が間に合わなかった。変色が遅れるとその分だけヒーターの駆動時間が長くなることから電力が無駄にロスする結果となる。電池式ヒータ駆動の場合は電池寿命が短くなり使用回数が減少することになる。
【００２８】
そこで本発明においては、整形ヘッド２に、ヒーター８を有する整形部１１・１２と、ヒーター８の温度上昇により変色する温度表示体３８とを設け、ヒーター８と温度表示体３８を熱伝導体５１を介して当接させる。これにより、温度表示体３８の変色状態を見て、ヒーター８を含む整形部１１・１２が適温状態になっているか否かを確認できるとともに、整形部１１・１２が適温状態となる時間に対して、温度表示体３８が大きく遅れて変色するのを防止できる。
【００２９】
具体的には、図１に示すように、温度表示体３８および熱伝導体５１がシート状に形成されており、熱伝導体５１の一方の面（表面）の平面部に温度表示体３８が直接当接しており、熱伝導体５１の他方の面（裏面）の平面部にヒーター８の折り返し部が直接当接していることにより、シート状の熱伝導体５１の裏面にヒーター８が直接当接することになり、熱伝導体５１の外郭線内から全体に速やかに伝導熱が広がって、それに直接当接している表面の温度表示体３８にも熱が伝わり、温度表示体３８を速やかに変色できる。
【００３０】
伝導体５１は、銅、アルミニウムなどの金属製のシートであり、外形（外郭線）が四角形状となっている（図６の点線参照）。熱伝導体５１は、金属製に限らず、高熱伝導性プラスチックであってもよい。温度表示体３８は、外形（外郭線）が円形状となっており、熱伝導体５１の外形（外郭線）内に位置している（図６の点線参照）。温度表示体３８は、ポリエチレンテレフタレートなどのプラスチック製シートからなるベース層と、ベース層の表面に温度変化によって色が変わる変色塗料を印刷して形成した変色層と、変色層の表面にポリエステルなどのプラスチック製フィルムを被覆して形成した保護層と、ベース層の裏面に接着剤を塗布して形成した接着層とから構成されている。この接着層により、ベース層、すなわち温度表示体３８を熱伝導体５１に密着状態で貼着できる。
【００３１】
図４および図６に示すように、ヒーター８のＵ字状に折り返えされる折り返し部、すなわち交差する方向のヒーター８（第２ヒーター８Ｂ）における周面他側に近い端部を熱伝導体５１の裏面の突端寄り位置（一点鎖線で示される部分）に点接触状態或いは線接触状態で部分当接させている。さらに、その部分当接部５３は、熱伝導体５１の表面に当接している温度表示体３８の外形（外郭線）内となるように設定されている。これにより、温度表示体３８の変色時間がより一層短くなる。図示していないが、ヒーター８の折り返し部、すなわち交差する方向のヒーター８（第２ヒーター８Ｂ）における周面他側に近い端部と熱伝導体５１の裏面が当接する部分当接部５３には、ポレエステル樹脂、エポキシ樹脂等の熱伝導性に優れる充填剤が充填されており、ヒーター８から熱伝導体５１への熱伝導を促進している。つまり、ヒーター８と熱伝導体５１との点接触状態或いは線接触状態による熱伝導に加えて、直接接触していないヒーター８からの熱も充填剤を介して熱伝導体５１に熱伝導できるので、熱伝導効率を向上して速やかに温度表示体５１を変色できる。また、充填剤の存在により、ヒーター８と熱伝導体５１との接触状態を固定化できるため、例え整形ヘッド２に衝撃が加わったとしても、両者が非接触状態となる可能性は少ない。
【００３２】
また、温度表示体３８は、その表面の周囲が整形ヘッド２の周囲壁の一部、具体的には横櫛ベース１８の周側面１８ａの一部で覆われている。図６に示すように温度表示体３８の表面は楕円状の窓部を通して視認するため楕円形状となっている。つまり、図６における楕円形状の実線内で温度表示体３８が露出しておりここが視認部分となる。温度表示体３８の、先の部分当接部５３に対応する表面には、整形ヘッド２の周囲壁の一部、具体的には横櫛ベース１８の周側面１８ａの一部で覆われた目隠し部５２が形成されている。これにより、部分当接の位置、すなわち熱源位置の温度表示体３８の表面を覆い隠すことができるので、その部分で外気の影響を受けにくく温度上昇が早くなり、温度表示体３８が速やかに変色する。
【００３３】
図６に示すように、シート状の熱伝導体５１の外形（外郭線）内にシート状の温度表示体３８が密着状態で当接している。これにより、温度表示体３８の全体を速やかに変色できる。例えば、温度表示体３８が熱伝導体５１の外形（外郭線）より大きければ、そのはみ出した部分は遅れて変色することになり、変色状態にバラツキが生じる。「熱伝導体の外形（外郭線）内にシート状の温度表示体が密着状態で当接している」とは、熱伝導体の外形（外郭線）と温度表示体の外形（外郭線）とが同一寸法、同一形状で重なり合い、密着状態で当接しているものを含む。
【００３４】
図１および図４に示すように、整形ヘッド２の周面一側に、側部側整形部１１が設けられており、整形ヘッド２の周面他側に、温度表示体３８が設けられている。ヒーター８は、側部側整形部１１に沿って設けられているが、中途部で折り曲げられることで、側部側整形部１１に沿う方向の形態と交差する方向の形態を含んでいる。温度表示体３８を熱伝導体５１の一方の面に直接当接させるとともに、交差する方向の形態におけるヒーター８の周面他側に近い一部を熱伝導体５１の他方の面に直接当接させている。これにより、温度表示体３８を、周面他側から見て奥まった位置に設けなくて済むため、温度表示体３８の視認性が悪化するのを防止できる。
【００３５】
また、整形ヘッド２の突端に端部側整形部１２が設けられており、交差する方向のヒーター８が、端部側整形部１２に沿って設けられている。これにより、整形ヘッド２の端部側においても加熱しながらの整形を行うことができる。
【００３６】
側部マスカラコーム１６は、まつ毛を梳き流す前段作業時と、マスカラ液をまつ毛に塗布したのちに使用するが、同コーム１６の使い勝手を向上するために、段落ち面１５の下部と本体ケース１との間に逃げ面３９が形成してある。逃げ面３９は、本体ケース１の周面から段落ち面１５へ向かって下り傾斜する凹面状の湾曲面からなり、その半分が本体ケース１の側に、残る半分がヘッドベース６の側に形成してある。
【００３７】
図４に側部側整形部１１と端部側整形部１２との関係寸法を示しており、さらに図５および図６に各カールコーム１４・２２および櫛歯３０・３２の寸法の対比と、各マスカラコーム１６・２３および櫛歯１９・３４の寸法の対比を示している。図４に示すように側部側整形部１１の櫛歯列の長さＬ１は、端部側整形部１２の櫛歯列の長さＬ２よりはるかに大きい（Ｌ１＞＞Ｌ２）。側部側整形部１１の前後幅Ｂ１は、端部側整形部１２の前後幅Ｂ２と等しい（Ｂ１＝Ｂ２）。このように、端部側整形部１２の面積およびサイズは、側部側整形部１１の面積およびサイズより十分に小さく設定してある。
【００３８】
図６に示すように、側部マスカラコーム１６の櫛歯列の上下長さＬ３は、端部マスカラコーム２３の櫛歯列の前後長さＬ４よりはるかに大きい（Ｌ３＞＞Ｌ４）。さらに、図５に示すように、側部マスカラコーム１６の櫛歯１９の突出寸法Ｈ１は、側部コーム１４の櫛歯３０の突出寸法Ｈ２より大きく設定してあり（Ｈ１＞Ｈ２）、端部マスカラコーム２３の櫛歯３４の突出寸法Ｈ３より大きく設定してある（Ｈ１＞Ｈ３）。このように、側部マスカラコーム１６の櫛歯１９の突出寸法Ｈ１を、側部コーム１４の櫛歯３０の突出寸法Ｈ２より大きくする場合、突出寸法Ｈ１は突出寸法Ｈ２の１．５倍以上、３倍未満が好ましい。より好ましくは、突出寸法Ｈ１≒突出寸法Ｈ２×２であるが、この実施例では側部マスカラコーム１６の櫛歯１９の突出寸法Ｈ１を、側部コーム１４の櫛歯３０の突出寸法Ｈ２の２倍強の値に設定した。
【００３９】
また、端部マスカラコーム２３の端部カール面２１からの突出寸法Ｈ３（図５参照）は、端部コーム２２の端部カール面２１からの突出寸法Ｈ４より大きく設定してある（Ｈ３＞Ｈ４）。このように、端部マスカラコーム２３に隣接して端部コーム２２を設けると、端部コーム２２の円弧周面が肌面に接当して、端部マスカラコーム２３の先端が肌面に突き刺さろうとするのを端部コーム２２で規制できる。つまり、端部コーム２２は、端部マスカラコーム２３が肌面に突き刺さるのを規制する防護体として機能できる。また、端部コーム２２と端部マスカラコーム２３を隣接配置するので、各コーム２２・２３の向きを変更するだけでカール処理とダマ処理を行なえ、端部側整形部１２によるまつ毛の整形を迅速かつ容易に行なって、まつげ整形具の使い勝手を向上できる。
【００４０】
図５および図６において、端部マスカラコーム２３を構成する櫛歯３４の歯幅Ｗ１および隣接ピッチＰ１は、端部コーム２２を構成する櫛歯３２の歯幅Ｗ２および隣接ピッチＰ２より小さく設定してある（Ｗ１＜Ｗ２）、（Ｐ１＜Ｐ２）。また、側部コーム１４を構成する櫛歯３０の歯幅Ｗ３および隣接ピッチＰ３は、端部コーム２２を構成する櫛歯３２の歯幅Ｗ２および隣接ピッチＰ２と同じである（Ｗ３＝Ｗ２）、（Ｐ３＝Ｐ２）。さらに、側部マスカラコーム１６を構成する櫛歯１９の歯幅Ｗ４および隣接ピッチＰ４は、側部コーム１４を構成する櫛歯３０の歯幅Ｗ３および隣接ピッチＰ３より小さく設定してある（Ｗ４＜Ｗ３）、（Ｐ４＜Ｐ３）。因みに、側部マスカラコーム１６の櫛歯１９の歯幅Ｗ４および隣接ピッチＰ４は、端部マスカラコーム２３の櫛歯３４の歯幅Ｗ１および隣接ピッチＰ１にほぼ等しい。
【００４１】
側部マスカラコーム１６の段落ち面１５からの突出寸法Ｈ１は、段落ち面１５の上部に連続する周側面１８ａの段落ち面１５からの突出寸法Ｈ５より大きく設定してある（Ｈ１＞Ｈ５）。このように、側部マスカラコーム１６の近傍に、端部側整形部１２の周側面１８ａが設けてあると、周側面１８ａと端部マスカラコーム２３とが肌面に接当して、側部マスカラコーム１６の先端が肌面に突き刺さろうとするのを規制できる。つまり、周側面１８ａおよび端部マスカラコーム２３は、側部マスカラコーム１６が肌面に突き刺さるのを規制する防護体として機能できる。なお、側部マスカラコーム１６の段落ち面１５からの突出寸法Ｈ１は、周側面１８ａの段落ち面１５からの突出寸法Ｈ５より大きいが、２倍を上まわらない寸法に設定してある。つまりＨ１＜Ｈ５×２となっている。
【００４２】
上記構成のまつ毛整形具は、まつ毛を梳き流す前段作業と、まつ毛をカールする作業と、マスカラ液のダマを除去する作業とに使用することができる。まつ毛を梳き流す前段作業においては、側部マスカラコーム１６および端部マスカラコーム２３を使用して、絡み合ったまつ毛を梳き流し、まつ毛全体の形を整える。
【００４３】
まつ毛をカールする場合には、片手で本体ケース１を握り、スイッチノブ５をオン状態にして第１・第２の両ヒーター８Ａ・８Ｂを加熱する。次ぎに、側部側整形部１１が上向きになる状態でまつ毛整形具を概ね水平に保持し、まつ毛の湾曲中央部分を櫛歯３０でまつ毛を梳き分けながら側部カール面１３をあてがう。この状態で図７（ａ）に示すようにまつ毛をヒーター８で加熱しながら上向きにすくいあげ、さらに、側部カール面１３を眉毛の側へ向かって回転させて上向きにカールする。この状態を保持してカール部分を加熱しながら、整形ヘッド２をさらに上向きに押し上げることにより、まつ毛の毛先まで確実にカールできる。このように、まつ毛をカールさせるときは、まつ毛を側部コーム１４の櫛歯３０で捕捉して、まつ毛が側部カール面１３に沿って横移動するのを規制できるので、隣接する櫛歯３０の間に捕捉されたまつ毛の一群を適正にカールできる。
【００４４】
目頭および目尻部分は、図７（ｂ）に示すように端部カール面２１が上向きになる状態でまつ毛整形具を斜めに保持し、目頭および目尻部分に位置するまつ毛の基端寄りに端部カール面２１をあてがう。さらに、まつ毛をヒーター８で加熱しながら斜め上向きにすくいあげ、この状態を保持してカール部分を加熱する。このとき、端部カール面２１の左右長さは、側部カール面１３の上下長さに比べて十分に小さいので、短くしかも毛密度が小さなまつ毛を幅狭の端部カール面２１で的確に捕捉して適確にカールできる。このとき、端部コーム２２の櫛歯３２は、まつ毛が端部カール面２１に沿って横移動するのを規制できる。片方の目のまつ毛のカールが終了したら、本体ケース１を逆の手に持ち変えて左右逆向きにした状態で、他方の目のまつ毛をカールする。
【００４５】
下まつ毛をカールする場合には、端部カール面２１が下向きになる状態でまつ毛整形具を斜めに保持する。次にまつ毛の基端寄りに端部カール面２１をあてがって、まつ毛をヒーター８で加熱しながら下向きにすくい下ろし、この状態を保持してカール部分を加熱する。この場合にも、上まつ毛に比べて短くしかも毛密度が小さな下まつ毛を、幅狭の端部カール面２１で的確に捕捉して適確にカールできる。
【００４６】
マスカラ液のダマを除去する場合には、図８（ａ）に示すように、マスカラ液が塗布されたまつ毛の湾曲中央部分を側部マスカラコーム１６で数回梳き流して、マスカラ液のダマを除去し、まつ毛のカール形状を整える。さらに、図８（ｂ）に示すように、目頭および目尻の短いまつ毛部分を端部マスカラコーム２３で複数回梳き流してマスカラ液のダマを除去し、まつ毛のカール形状を整える。同様にして、下まつ毛に付着したマスカラ液のダマを、端部マスカラコーム２３で梳き流して除去し、まつ毛のカール形状を整えることができる。
【００４７】
以上のように、側部マスカラコーム１６および端部マスカラコーム２３を備えたまつ毛整形具によれば、まつ毛を化粧する過程で、まつ毛の前段梳き流し作業を側部マスカラコーム１６または端部マスカラコーム２３で行ったのち、まつ毛をヒーター８で加熱しながら側部カール面１３または端部カール面２１でカールすることができる。また、カールしたまつ毛にマスカラ液を塗布したのち、まつ毛に付着したダマを側部マスカラコーム１６または端部マスカラコーム２３で梳き取って、まつ毛を仕上げることができるので、まつ毛整形具とは別に専用のマスカラコームを用意する必要がない。
【００４８】
上記まつ毛整形具の構成は以下の態様で実施できる。
グリップを兼ねる本体ケース１の一端に整形ヘッド２を有し、整形ヘッド２にまつ毛を加熱するヒーター８が配置してある加熱型のまつ毛整形具であって、整形ヘッド２の突端に端部側整形部１２を設け、端部側整形部１２の突端に端部カール面２１と、まつ毛を梳き流す端部コーム２２を設ける。さらに、端部側整形部１２に、まつ毛に付着したマスカラを梳き取る端部マスカラコーム２３を設けることを特徴とする。
上記構成により、整形ヘッド２を縦長に保持した状態で、まつ毛を端部側整形部１２でカールできる。したがって、本体ケース１を握っている手が鏡越しに見る視線の邪魔になるのを防止して、カール作業を確実に、しかも容易に行なうことができる。また、まつ毛の前段梳き流し作業、およびまつ毛に付着したダマを梳き取ってまつ毛を仕上げる場合にも、端部マスカラコーム２３を縦長に保持した状態で作業を行なえるので、上記のカール作業と同様に、本体ケース１を握っている手が鏡越しに見る視線の邪魔になるのを防止できる。したがって、まつ毛の前段梳き流し作業からダマの除去に至る一連の作業を確実に、しかも容易に行なうことができる。カールしたまつ毛にマスカラ液を塗布したのち、まつ毛に付着したダマを端部マスカラコーム２３で梳き取って、まつ毛を仕上げることができるので、まつ毛整形具とは別に、専用のマスカラコームを用意する必要がない。さらに、毛密度が小さくて整形しにくい目頭や目尻部分の短いまつ毛を、端部側整形部１２に設けた端部カール面２１および端部マスカラコーム２３で的確にしかも綿密にくせ付けできるので、マスカラ液の塗布を除く一連の作業を、まつ毛整形具のみで簡便に行なえる。加えて、まつ毛の化粧をより短い時間で行える。また、側部側整形部１１に比べて全体のサイズが小さな端部側整形部１２は、個々のまつ毛ごとにカール処理を行ない、あるいは個々のまつ毛に付着したマスカラを梳き取ることが可能であるので、カール処理やダマ処理などをきめ細やかに、しかも適確に行なうことができる。
【００４９】
図４に示すように、端部マスカラコーム２３の櫛歯３４の配列方向と、端部コーム２２の櫛歯３２の配列方向とを異ならせて、端部マスカラコーム２３の梳き流し方向を、端部コーム２２の梳き流し方向と直交する向きに設定する。
上記構成により、両コーム２２・２３を明確に区別できるので、両コーム２２・２３が間違った使用法で使用されるのを防止できる。また、整形ヘッド２の突端の端部側整形部１２に、端部コーム２２と端部マスカラコーム２３を集約配置するので、端部側整形部１２をコンパクトにまとめることができ、構造が複雑化することも解消できる。
【００５０】
端部マスカラコーム２３の櫛歯列を、端部コーム２２の櫛歯３２と平行に設けて、端部マスカラコーム２３が端部コーム２２を兼ねるようにする。
上記構成により、まつ毛を端部カール面２１でカールする際に、端部コーム２２と端部マスカラコーム２３とが協同してまつ毛を梳き流すことができる。つまり、端部マスカラコーム２３を利用してまつ毛をカールする方向に梳き流すことができるので、その分だけ端部コーム２２の櫛歯３２の数を減らすことができ、端部側整形部１２の構造をさらにコンパクト化できる。このように、コンパクト化された端部側整形部１２は、目頭側や目尻側におけるまつ毛の前段梳き流し作業と、カール作業と、ダマの除去とをさらに適確に行なうことができ、したがって、まつ毛の化粧をより短い時間で行える。さらに、一連の作業において、まつ毛を視認するとき端部側整形部１２が邪魔になるのをよく防止できる。
【００５１】
端部マスカラコーム２３は、端部カール面２１の端部に配置する。
上記構成により、例えば、端部マスカラコーム２３によるダマの除去を、端部コーム２２に邪魔されることもなく適確に行え、まつ毛整形具の使い勝手を向上できる。まつ毛から梳き取ったダマが、端部カール面２１やヒーター８に付着するのを防止できるうえ、端部マスカラコーム２３に付着したダマの除去を簡便に行える。
【００５２】
図５に示すように、端部マスカラコーム２３の端部カール面２１からの突出寸法Ｈ３を、端部コーム２２の端部カール面２１からの突出寸法Ｈ４と同じか、これより大きく設定する。
上記構成により、端部マスカラコーム２３によるダマの除去を適確に行える。とくに、端部マスカラコーム２３が、端部コーム２２より大きく突出してある場合には、毛密度が小さく短い目頭や目尻部分のまつ毛、あるいは下まつ毛を、端部マスカラコーム２３で１本ずつ確実に梳き流して、その形を整えることができる。
【００５３】
端部コーム２２を構成する櫛歯３２の歯幅Ｗ２を、端部マスカラコーム２３の櫛歯３４の歯幅Ｗ１に比べて大きく設定して、端部コーム２２が、端部マスカラコーム２３の突き刺さりを規制する防護体を兼ねるようにする。
上記構成により、端部マスカラコーム２３が肌面に突き刺さろうとするとき、端部コーム２２で肌面を受止めることができる。したがって、端部マスカラコーム２３が、端部コーム２２より突出させてある場合であっても、端部マスカラコーム２３が肌面に突き刺さるのを防いで、まつ毛整形具の安全性を確保し、ユーザーが傷付くのを防止できる。
【００５４】
端部マスカラコーム２３を構成する櫛歯３４の歯幅Ｗ１および隣接ピッチＰ１を、端部コーム２２を構成する櫛歯３２の歯幅Ｗ２および隣接ピッチＰ２より小さく設定する。
上記構成により、毛密度が大きい部分のまつ毛を端部マスカラコーム２３で一本ずつ適確に梳き流すことができる。したがって、毛密度が大きなまつ毛を、ユーザーの意図どおりに整えることができ、まつ毛に付着しているダマを確実に梳き取って、その仕上がり状態を向上できる。
【００５５】
図６に示すように、端部側整形部１２の周側面１８ａで、端部マスカラコーム２３の基端部分に温度表示体３８を設ける。
上記構成により、端部マスカラコーム２３でまつ毛の前段梳き流し作業を行うとき、温度表示体３８をユーザーの顔面に正対させることができる。したがって、ユーザーは前段梳き流し作業を行いながら、温度表示体３８の呈色状態を見て、端部カール面２１が適温になっているか否かを確認できる。また、端部カール面２１が加熱された状態であることを温度表示体３８で知ることができるので、ユーザーの注意を喚起して、端部カール面２１が不用意に肌面に押し付けられるような事故を未然に防止でき、まつ毛整形具の安全性をさらに向上できる。
【００５６】
整形ヘッド２の周面一側に、整形ヘッド２の中央へ向かって凹む段落ち面１５を設け、この段落ち面１５に、まつ毛に付着したマスカラを梳き流す側部マスカラコーム１６を設ける（図２参照）。
上記構成により、側部マスカラコーム１６を整形ヘッド２の上下方向に沿う広範囲にわたって縦長に形成できる。したがって、中央部分を含むまつ毛の大半の部分に付着しているダマを、側部マスカラコーム１６で一気に梳き取ることができる。また、段落ち面１５に側部マスカラコーム１６を設けるので、その櫛歯１９が整形ヘッド２の周面から大きく突出するのを防止でき、さらに段落ち面１５に連続して設けられる横櫛ベース１８で櫛歯１９を保護して、落下などによる櫛歯１９の破損を防止できる。
【００５７】
段落ち面１５の下部と本体ケース１との間に、本体ケース１の周面から段落ち面１５へ向かって下り傾斜する逃げ面３９を形成する（図２参照）。
上記構成により、側部マスカラコーム１６に隣接して逃げ面３９に臨む大きな空間を確保できる。したがって、側部マスカラコーム１６で前段梳き流し作業を行い、あるいはダマを除去する場合のユーザーの視界を大きくでき、さらに、先の空間を介してまつ毛の状態を明確に視認でき、まつ毛整形具の使い勝手を向上できる。
【００５８】
側部マスカラコーム１６は、前記段落ち面１５の幅方向中央に直線列状に設ける（図３参照）。
上記構成により、整形ヘッド２の前後周面で側部マスカラコーム１６の櫛歯１９を保護できる。例えば、まつ毛整形具が床面に落下するような場合に、整形ヘッド２の前後周面が床面に衝突することにより、側部マスカラコーム１６が床面に衝突する機会を減少できる。したがって、他のコーム１４・２２・２３に比べて長い側部マスカラコーム１６の折損を、よく防止できる。
【００５９】
端部側整形部１２に、段落ち面１５の上部に連続する周側面１８ａを形成する。側部マスカラコーム１６の段落ち面１５からの突出寸法Ｈ１を、周側面１８ａの段落ち面１５からの突出寸法Ｈ５より大きく設定する。これにより、周側面１８ａが、側部マスカラコーム１６の突き刺さりを規制する防護体を兼ねるようにする。
上記構成により、側部マスカラコーム１６が肌面に突き刺さろうとするとき、周側面１８ａで肌面を受止めることができる。したがって、側部マスカラコーム１６が周側面１８ａより突出させてある場合であっても、側部マスカラコーム１６が肌面に突き刺さるのを周側面１８ａで防いで、まつ毛整形具の安全性を確保し、ユーザーが傷付くのを防止できる。
【００６０】
側部マスカラコーム１６の櫛歯列の長さＬ３を、端部マスカラコーム２３の櫛歯列の長さＬ４より大きく設定する。
上記構成により、各マスカラコーム１６・２３の用途を一見するだけで判別できる。したがって、両マスカラコーム１６・２３を適宜使い分けることにより、長いまつ毛と短いまつ毛とを効果的に梳き流し、あるいは、長いまつ毛と短いまつ毛に付着したダマを効果的に梳き取ることができる。
【００６１】
側部マスカラコーム１６の櫛歯１９の突出寸法Ｈ１を、端部マスカラコーム２３の櫛歯３４の突出寸法Ｈ３より大きく設定する（図５参照）。
上記構成により、各マスカラコーム１６・２３の用途をさらに確実に判別できる。また、長い櫛歯１９で長いまつ毛を毛先まで梳き流すことができ、短い櫛歯３４で短いまつ毛を適確に捕捉して梳き流すことができる。
【００６２】
端部側整形部１２の周側面１８ａを平坦に形成する。周側面１８ａに連続して端部マスカラコーム２３を上向きに突設する。これにより、周側面１８ａと端部マスカラコーム２３とが、側部マスカラコーム１６の突き刺さりを規制する防護体を兼ねるようにする。
上記構成により、側部マスカラコーム１６が肌面に突き刺さろうとするとき、周側面１８ａと端部マスカラコーム２３とが協同して肌面を受止めることができる。したがって、側部マスカラコーム１６が周側面１８ａより突出させてある場合であっても、側部マスカラコーム１６が肌面に突き刺さるのを周側面１８ａと端部マスカラコーム２３とで防いで、まつ毛整形具の安全性を確保し、ユーザーが傷付くのを防止できる。
【００６３】
整形ヘッド２の周面一側に側部マスカラコーム１６を設け、周面他側に側部側整形部１１を設ける。
上記構成により、整形ヘッド２の上下方向に沿う広範囲にわたって側部側整形部１１を縦長に形成できる。したがって、長いまつ毛の殆どを側部側整形部１１で一挙にカールでき、まつ毛の化粧をより短い時間で簡便に行える。
【００６４】
側部マスカラコーム１６の櫛歯１９の突出寸法Ｈ１を、側部側整形部１１に設けた側部コーム１４の櫛歯３０の突出寸法Ｈ２より大きく設定する。
上記構成により、側部マスカラコーム１６によるまつ毛の前段梳き流し作業と、まつ毛に付着しているダマの除去とを一気に行うことができる。さらに、側部側整形部１１でまつ毛をカールするときに、側部コーム１４がまぶたに接触するのを解消でき、全体としてまつ毛整形具の使い勝手を向上できる。
【００６５】
側部マスカラコーム１６の櫛歯１９の突出寸法Ｈ１を、側部コーム１４の櫛歯３０の突出寸法Ｈ２の２倍を越える値に設定する。
上記構成により、長いまつ毛の前段梳き流し作業と、まつ毛に付着しているダマの除去とをさらに適確に行うことができる。
【００６６】
さらに、上記のまつ毛整形具は、以下の態様で実施することができる。
グリップを兼ねる本体ケース１の一端に整形ヘッド２を有し、
整形ヘッド２の対向周面の一側に側部側整形部１１と、まつ毛を加熱するヒーター８が配置され、対向周面の他側にまつ毛に付着したマスカラを梳き取る側部マスカラコーム１６が設けてあるまつ毛整形具。
上記のまつ毛整形具によれば、整形ヘッド２の周面一側に設けた側部側整形部１１で、主にまつ毛列の湾曲中央部分に沿って生えている長くて密度の高いまつ毛をカールでき、周面他側に設けた側部マスカラコーム１６でマスカラ液のダマを梳き取ることができる。詳しくは、マスカラ液を介してくっ付きあったまつ毛を側部マスカラコーム１６で梳き流して単毛状に分化し、同時にダマを梳き取ってまつ毛をより自然な感じに仕上げることができる。
【００６７】
さらに、上記のまつ毛整形具（毛髪整形具）は、以下の態様で実施することができる。
整形ヘッド２に、ヒーター８を有する整形部１１・１２と、ヒーター８の温度上昇により変色する温度表示体３８とが設けられており、
温度表示体３８および熱伝導体５１がシート状に形成されており、
熱伝導体５１の一方の面（表面）に温度表示体３８が当接しており、熱伝導体５１の他方の面（裏面）の外形（外郭線）寄りの位置にヒーター８の一部が部分当接しており、
温度表示体３８の外形（外郭線）は、熱伝導体５１の外形（外郭線）内に位置しており、
温度表示体３８の、部分当接した位置に対応する表面が、整形ヘッド２の周囲壁の一部で覆われているまつ毛整形具（毛髪整形具）。
これにより、温度表示体３８の変色状態を見て、ヒーター８を含む整形部１１・１２が適温状態になっているか否かを確認できるとともに、整形部１１・１２が適温状態となる時間と温度表示体３８の変色時間とに大きな時間差が生じるのを防止できる。また、シート状の熱伝導体５１の裏面にヒーター８が直接当接することになり、熱伝導体５１の外郭線内から全体に速やかに伝導熱が広がって、それに当接している表面の温度表示体３８にも熱が伝わり、温度表示体３８を速やかに変色できる。また、部分当接の位置、すなわち熱源位置の温度表示体３８の表面を覆い隠すことができるので、その部分で外気の影響を受けにくく温度上昇が早くなり、温度表示体３８が速やかに変色する。
【００６８】
その部分当接している位置は、熱伝導体５１の表面に当接している温度表示体３８の外形（外郭線）内となるように設定されているまつ毛整形具（毛髪整形具）。
これにより、温度表示体３８の変色時間がより一層短くなる。
【００６９】
温度表示体３８がシート状に形成されており、
熱伝導体５１がシート状に形成されており、
熱伝導体５１の一方の面に温度表示体３８が当接しており、
熱伝導体５１の他方の面にヒーター８が当接しており、
熱伝導体５１とヒーター８の当接部分に充填剤が充填されていることを特徴とするまつ毛整形具（毛髪整形具）。
これにより、ヒーター８と熱伝導体５１との点接触状態或いは線接触状態による熱伝導に加えて、直接接触していないヒーター８からの熱も充填剤を介して熱伝導体５１に熱伝導できるので、熱伝導効率を向上して速やかに温度表示体５１を変色できる。
また、充填剤の存在により、ヒーター８と熱伝導体５１との接触状態を固定化できるため、例え整形ヘッド２に衝撃が加わったとしても、両者が非接触状態となる可能性は少ない。
【００７０】
（実施例２）  図９は、まつ毛整形具の別の実施例を示す。そこでは、横櫛ベース１８の周側面１８ａの前後中央に端部マスカラコーム２３を設けた。この場合の端部マスカラコーム２３の櫛歯３４は、上向きに突出する状態で左右方向に３個設けた。この場合にも、端部マスカラコーム２３の櫛歯３４と端部コーム２２の櫛歯３２との関係寸法は、先の実施例と同様に（Ｗ１＜Ｗ２）、（Ｐ１＜Ｐ２）を満足できるようにした。他は先に説明した実施例１と同じであるので、同じ部材に同じ符号を付して、その説明を省略する。
【００７１】
（実施例３）  図１０は、まつ毛整形具のさらに別の実施例を示す。そこでは、横櫛ベース１８の周側面１８ａの上縁に沿って、端部マスカラコーム２３を横向きに突出する状態で設けた。この場合の端部マスカラコーム２３の櫛歯３４は、横向きに突出する状態で前後方向に５個設けた。このように、端部マスカラコーム２３は、端部コーム２２の配列構造の違いに応じて、周側面１８ａの任意位置に形成することができる。他は先に説明した実施例１と同じであるので、同じ部材に同じ符号を付して、その説明を省略する。
【００７２】
（実施例４）  図１１は、まつ毛整形具のさらに別の実施例を示す。本実施例では、ヘッドベース６から突出する側部マスカラコーム１６に特徴を有している。側部マスカラコーム１６は、実施例１と同様、整形ヘッド２の周面一側に設けられる側部側整形部１１に対向する周面他側に設けられる。詳しくは、側部マスカラコーム１６は、整形ヘッド２を中央へ向かって凹ませて形成した段落ち面１５に上下方向に直線列状となるように設けられている（図６参照）。その突出方向は、整形ヘッド２の軸方向に直交する方向（左方向）に突出している。図１１に示すように、側部マスカラコーム１６の複数の櫛歯１９は、上部側の櫛歯１９を基準高さの櫛歯１９とした場合、下部側の櫛歯１９ａが、上部側にある櫛歯１９よりも突出寸法が大きくなっている。櫛歯１９ａのうち、一番高い櫛歯の寸法をＨ６で表している。これにより、まつ毛の部分的な梳き流し作業、或いは部分的なダマの除去作業を容易に行うことができる。
【００７３】
また、図１１に示すように、下部側の櫛歯１９ａは下方に向けて緩やかに突出寸法が大きくなっている（一点鎖線参照）。これにより、下部側の櫛歯１９ａと上部側の櫛歯１９との間において内凹み形態となるため、湾曲するまつ毛に当てやすくなる。また、下部側の櫛歯１９ａよりもさらに下部に、上部側の櫛歯１９よりも突出寸法が小さい櫛歯１９ｂが設けられている。これにより側部マスカラコーム１６の櫛歯１９の数をさらに増やすことができ、より効果的に梳き流し作業やダマ取り作業を行うことができる。また、櫛歯１９の数が増加した分、破損の可能性が高まるものであるが、櫛歯１９ｂの突出寸法が小さいため、破損の可能性を減少させることができる。
【００７４】
図１１に示すように、下部側の櫛歯１９ａ及び櫛歯１９ｂの突端を繋ぐ仮想線（一点鎖線）が外に向けて湾曲する凸形状となっている。これにより、意匠的に優れる側部マスカラコーム１６を提供できる。
【００７５】
本実施例では、図１１に示すように、下部側の櫛歯１９ａの基端部を補強するため、櫛歯１９ａ・１９ａ間の段落ち面１５（ヘッドベース６）のプラスチックを肉増しして形成している。この肉増部を符号１５ａで示している。肉増部１５ａは、上部側の櫛歯１９・１９間の段落ち面１５（ヘッドベース６）の厚みを基準して、櫛歯１９ａに向かって徐々に厚みを増すように形成されている。つまり、整形ヘッド２の全体の径も太くなっている。図１１では厚みを増した分を解り易くドット表現しているが、実際は、段落ち面１５（ヘッドベース６）と肉増部１５ａと各櫛歯１９、１９ａ、１９ｂは一体成形されたものである。また、肉増部１５ａの定義としては、段落ち面１５が、ヘッド部２の基軸に対して、櫛歯１９ａに向かって徐々に上り傾斜していれば、とくに肉増しする必要はなく、段落ち面１５の厚みが上部側の櫛歯１９から下部側の櫛歯１９ａにかけて同じ厚みのものも含むものとする。さらに、下部側の櫛歯１９ａ・１９ａ間を接続するリブであっても肉増部１５ａに含むものとする。このように、下部側の櫛歯１９ａが突出する段落ち面１５に肉増部１５ａが形成されていることにより、実質的に下部側の櫛歯１９ａは上部側の櫛歯１９よりも高さが高いにもかかわらず、基端部側の肉増しによって、強度が保たれて破損し難くなっている。
【００７６】
実施例４では、本発明に係る他の実施例を含むので以下に説明する。
本実施例では、実施例１のように熱伝導体５１の一方の面（表面）に温度表示体３８は密着状態で当接しているが、熱伝導体５１の他方の面（裏面）にヒーター８は当接しておらず、ヒーター８はシート状の熱伝導体５１に一体で形成された熱伝導脚５４を介して熱伝導体５１に当接している。熱伝導脚５１は熱伝導体５１と一体で設けられるものに限らず、別体で構成されたものであってもよい。その場合も熱伝導脚５１は銅、アルミニウムなどの金属を用いる。或いは高熱伝導性プラスチックであってもよい。このような構成も、ヒーター８と温度表示体３８の両者を熱伝導体５１を介して当接させることになる。他は先に説明した実施例１と同じであるので、同じ部材に同じ符号を付して、その説明を省略する。以下の実施例も同様とする。
【００７７】
上記実施例４の毛髪整形具（まつ毛整形具）は、以下の態様で実施することができる。
本体ケース１に整形ヘッド２を有する加熱式の毛髪整形具（まつ毛整形具）であって、
整形ヘッド２に、ヒーター８を有する整形部１１・１２と、ヒーター８の温度上昇により変色する温度表示体３８とが設けられており、
温度表示体３８がシート状に形成されており、
熱伝導体５１がシート状に形成されており、
熱伝導体５１の一方の面に温度表示体３８が当接しており、
熱伝導体５１の他方の面に、熱伝導体５１とヒーター８間に設けられた金属製の熱伝導脚５４を介して当接していることを特徴とする毛髪整形具（まつ毛整形具）。
これにより温度表示体３８の変色状態を見て、ヒーター８を含む整形部１１・１２が適温状態になっているか否かを確認できるとともに、整形部１１・１２が適温状態となる時間と温度表示体３８の変色時間とに大きな時間差が生じるのを防止できる。
また、熱伝導体５１がシート状に形成されており、熱伝導体５１の一方の面に温度表示体３８が当接しており、熱伝導体５１の他方の面に金属製の熱伝導脚５４を介して当接していることにより、ヒーター８を曲げなくても、ヒーター８と熱伝導体５１とを熱伝導可能に当接できる。したがってヒーター８の全長を短くできるため省電力化が可能となる。
【００７８】
（実施例５）図１２は本発明に係る他の実施例を示す。本実施例では、実施例１のようにヒーター８は熱伝導体５１を介して温度表示体３８に当接しているのではなく、ヒーター８は直接、温度表示体３８に当接する構成である。また、横櫛ベース１８には、傾斜部５６を形成しており、ヒーター８からの輻射熱が直接、温度表示体３８に放射されるようになっている。
【００７９】
（実施例６）図１３は本発明に係る他の実施例を示す。本実施例では、整形ヘッド２の端部側で折り曲げて形成した第２ヒーター８Ｂを利用して温度表示体３８を変色するのではなく、端部側から離れた往路側のヒーター８を折り曲げて、中途で折り返して形成した第３ヒーター８Ｃを設け、この第３ヒーター８Ｃの折り返した端部を熱伝導体５１の他方の面（裏面）に当接させている。この場合、ヒーター８は、側部側整形部１１に臨み、かつ側部側整形部１１の軸線に沿って配置される第１ヒーター８Ａと、端部側整形部１２に臨み、かつ端部側整形部１２の軸線に沿って配置される第２ヒーター８Ｂと、端部側整形部１２から離れた部分の軸線に沿って配置される第３ヒーター８Ｃとから構成される。ヒーター８（８Ａ・８Ｂ・８Ｃ）は、４つの折り曲げ部と２つの折り返し部を含んで１本のヒーター線で構成している。このような構成も、ヒーター８は中途で曲げられて、側部側整形部１１に沿う方向の形態と交差する方向の形態を含み、温度表示体３８を熱伝導体５１の一方の面に当接させており、交差する方向の形態における周面他側に近いヒーター８を熱伝導体５１の他方の面に当接したことになる。
【００８０】
（実施例７）図１４は本発明に係る他の実施例を示す。本実施例では、ヒーター８に関して、折り返し部はあるが中途での折り曲げ部は存在しない。ヒーター８は、側部側整形部１１に臨み、かつ側部側整形部１１の軸線に沿って配置される第１ヒーター８Ａから構成されている。本実施例では、端部側整形部１１は存在せず、整形ヘッド２の突端面には、温度表示体３８と熱伝導体５１が配設されており、熱伝導体５１の他方の面（裏面）にヒーター８の折り返し部が当接している。
【００８１】
（実施例８）図１５は本発明に係る他の実施例を示す。本実施例では、ヒーター８に関して、折り返し部はあるが中途での折り曲げ部は存在しない。ヒーター８は、側部側整形部１１に臨み、かつ側部側整形部１１の軸線に沿って配置される第１ヒーター８Ａから構成されている。本実施例では、端部側整形部１１は存在せず、整形ヘッド２の突端面には、機能部分は存在しない。整形ヘッド２の周面一側に、側部側整形部１１が設けられており、整形ヘッド２の周面他側に、温度表示体３８が設けられている。本実施例では、実施例１のように熱伝導体５１の一方の面（表面）に温度表示体３８は密着状態で当接しているが、熱伝導体５１の他方の面（裏面）にヒーター８は当接しておらず、ヒーター８はシート状の熱伝導体５１に一体で形成された熱伝導脚５４を介して熱伝導体５１に当接している。熱伝導脚５４は熱伝導体５１と一体で設けられるものに限らず、別体で構成されたものであってもよい。その場合も熱伝導脚５１は銅、アルミニウムなどの金属を用いる。このような構成も、ヒーター８と温度表示体３８の両者を熱伝導体５１を介して当接させることになる。熱伝導脚５４はヒーター８の側部側整形部１１の軸線に沿った部分の中途に当接している。実施例８も実施例４と同様な態様で実施することができる。
【００８２】
（実施例９）図１６は本発明に係る他の実施例を示す。本実施例では、本発明に係る毛髪整形具をヘアーアイロンに適用したものである。本体ケース１は、上下に対向配置した第１、第２の挟み腕１ａ・１ｂを含んで構成されている。両挟み腕１ａ・１ｂの一端は揺動軸で連結されており、両挟み腕１ａ・１ｂが揺動軸まわりに揺動開閉できるよう構成されている。両挟み腕１ａ・１ｂの他端側の対向面（周面一側）にはそれぞれ髪を挟持する髪挟み体５５ａ・５５ｂが設けられている。髪挟み体５５ａ・５５ｂは両挟み腕１ａ・１ｂの軸方向に長い箱型であり、互いの対向面がフラット面となるよう構成してあり、その内部に面状発熱体であるＰＴＣヒーター８ａ・８ｂ（ヒーター８）が絶縁材を介して当接している。髪挟み体５５ａ・５５ｂはアルミニウム製であり、上側の髪挟み体５５ａには一体で熱伝導脚５４が形成されている。第１の挟み腕１ａの、髪挟み体５５ａが配設されている面とは反対側の面（周面他側）にはシート状の温度表示体３８が設けられている。温度表示体３８は、シート状の熱伝導体５１に密着状態で当接している。熱伝導体５１は熱伝導脚５４と一体で形成されている。つまり、熱伝導体５１、熱伝導脚５４、髪挟み体５５ａは一体で形成されている。両挟み腕１ａ・１ｂは、ばね材により開き勝手に付勢されており、両挟み腕１ａ・１ｂを手で握り込むことによって髪挟み体５５ａ・５５ｂ間で髪を挟み込めるようになっている。整形ヘッド２ａの髪挟み体５５ａが配設されている部分が、側部側整形部１１ａとなっており、整形ヘッド２ｂの髪挟み体５５ｂが配設されている部分が、側部側整形部１１ｂとなっている。
【００８３】
第１の挟み腕１ａの側面に配設されたスイッチ５をオン操作することにより、ＰＴＣヒーター８ａ・８ｂが駆動し、髪挟み体５５ａ・５５ｂが１５０℃まで加熱される。このとき使用者は、髪挟み体５５ａ・５５ｂ、すなわち整形部１１が適温状態となっているのを温度表示体３８の変色により認識することができる。さらに、髪挟み体５５ａ、熱伝導脚５４、熱伝導体５１により、速やかに温度表示体３８を変色できるので、整形部１１が適温状態となる時間と温度表示体３８の変色時間とに大きな時間差が生じるのを防止できる。両挟み腕１ａ・１ｂを手で握り込むことによって髪挟み体５５ａ・５５ｂ間で髪を挟み込めるようになっており、挟み込んだ状態でアイロン本体を移動すれば髪をストレートヘアーに整形できる。また髪挟み体５５ａ・５５ｂの互いの対向面をフラット面とせずに互いの対向面を波形の面とすれば髪をワッフルヘアーに整形できる。本願発明は本実施例の毛髪整形具（ヘアーアイロン）のように、ヒーター８が金属製の熱プレートで覆われている構成であっても適用できる。
【００８４】
実施例１〜６においては、第１ヒーター８Ａと第２ヒーター８Ｂが、一本のヒーターを折り曲げ、折り返すことで側部側整形部１１および端部側整形部１２に配設されており、あたかも２つのヒーターを設けたようになっているが、特にこれに限定されるものではなく、２つの独立したヒーターで構成して、スイッチノブ５を切り換え操作して個別に独立して加熱することができる。実施例１〜８におけるヒーター８は、発熱面が剥き出しになっているが、絶縁処理された金属製あるいはプラスチック製のプレートでヒーター８の外面を覆うことができる。側部コーム１４、端部コーム２２、側部マスカラコーム１６、端部マスカラコーム２３は、それぞれ独立した部品として構成して、整形ヘッド２に対して着脱できる構造を採ることができる。上記の実施例では、端部コーム２２の櫛歯３２を側部カール面１３と平行に設けたが、櫛歯３２は側部カール面１３と直交する状態で設けることができる。整形ヘッド２には、側部側整形部１１と端部側整形部１２のうち、いずれか一方が設けてあってもよい。本発明は、髪に巻き付けるホットカーラーや棒状のカールアイロンにも適用することができる。
【符号の説明】
【００８５】
１  本体ケース
２  整形ヘッド
６  ヘッドベース
７  櫛枠
８  ヒーター
１１  側部側整形部
１２  端部側整形部
１３  側部カール面
１４  側部コーム
１５  段落ち面
１６  側部マスカラコーム
１９  側部マスカラコームの櫛歯
２１  端部カール面
２２  端部コーム
２３  端部マスカラコーム
３０  側部コームの櫛歯
３２  端部コームの櫛歯
３４  端部マスカラコームの櫛歯
３８  温度表示体
５１  熱伝導体
【図１】
0006033535.tif 000002
【図２】
0006033535.tif 000003
【図３】
0006033535.tif 000004
【図４】
0006033535.tif 000005
【図５】
0006033535.tif 000006
【図６】
0006033535.tif 000007
【図７】
0006033535.tif 000008
【図８】
0006033535.tif 000009
【図９】
0006033535.tif 000010
【図１０】
0006033535.tif 000011
【図１１】
0006033535.tif 000012
【図１２】
0006033535.tif 000013
【図１３】
0006033535.tif 000014
【図１４】
0006033535.tif 000015
【図１５】
0006033535.tif 000016
【図１６】
0006033535.tif 000017